(57)【要約】本発明は、ＡＣ給電電圧を供給する三相ＡＣ電源（３）に接続するための端子（Ｌ１、Ｌ２、Ｌ３、Ｎ）と、これらの端子（Ｌ１、Ｌ２、Ｌ３、Ｎ）に接続されてエレベータシステムのモータ（５）を駆動する駆動装置（４）とを有する、エレベータシステム（１）用の作動装置（２）に関する。変圧器（１０）が端子（Ｌ１、Ｌ２、Ｌ３、Ｎ）の少なくとも２つに接続されて、供給電圧（Ｖ１〜Ｖ５）の少なくとも１つをエレベータシステム（１）の残りへ供給する。エレベータシステムの緊急作動において、補助出力電圧（ＶＯＵＴ）を供給する出力部（２１）を有する補助給電部（２０）が、変圧器（１０）に接続され、変圧器（１０）を介して駆動装置（４）に供給される補助供給電圧（ＶＳ）を発生する。本発明による作動装置（２）は僅かな改造を要するのみで既存の作動装置設計に組み込むことができる。
2008526653.tif 000002
【特許請求の範囲】
【請求項１】
エレベータシステム（１）用作動装置（２）であって、
三相ＡＣ電源（３）に接続され、各ＡＣ給電電圧を受け入れるように構成された端子（Ｌ１、Ｌ２、Ｌ３、Ｎ）と、
前記端子（Ｌ１、Ｌ２、Ｌ３、Ｎ）に接続され、前記エレベータシステムのモータ（５）を駆動する駆動装置（４）と、
前記端子（Ｌ１、Ｌ２、Ｌ３、Ｎ）の少なくとも２つに接続されて、供給電圧（Ｖ１〜Ｖ５）の少なくとも１つを前記エレベータシステム（１）の残りのシステムへ供給するよう構成された変圧器（１０）と、
補助出力電圧（ＶＯＵＴ）を供給する出力部（２１）を有する補助給電部（２０）と、
前記エレベータシステムの緊急作動時に、前記変圧器（１０）に接続され、前記変圧器（１０）を介して前記駆動装置（４）へ供給される補助供給電圧（ＶＳ）を発生させる補助給電出力部（２１）と、
を有するエレベータシステム用作動装置。
【請求項２】
前記変圧器（１０）が、二相電圧を受け入れる２つの前記端子（Ｌ１、Ｌ２）に接続され、
前記補助給電部（２０）が、二相補助出力電圧（ＶＯＵＴ）を供給する出力部（２１）を有し、
前記補助給電出力部（２１）が、エレベータシステムの緊急作動時に、前記変圧器（１０）を介して前記駆動装置（４）へ供給される二相補助供給電圧（ＶＳ）を発生するために、前記変圧器（１０）に接続可能であることを特徴とする、請求項１に記載の作動装置。
【請求項３】
前記駆動装置（４）へ供給される前記補助供給電圧（ＶＳ）が、前記補助給電部（２０）からの前記補助出力電圧（ＶＯＵＴ）よりも高いことを特徴とする、請求項１または請求項２に記載の作動装置。
【請求項４】
前記変圧器（１０）が、一次巻線および二次巻線（１１、１２）を有し、前記一次巻線が前記三相ＡＣ電源（３）に接続されるよう構成され、前記二次巻線（１２）が供給電圧（Ｖ１〜Ｖ５）の少なくとも１つを前記エレベータシステム（１）の残りのシステムへ供給するよう構成され、
前記補助給電出力部（２１）が、エレベータシステムの緊急作動時に、前記変圧器（１０）の前記一次巻線（１１）を介して前記駆動装置（４）へ供給される前記補助供給電圧（ＶＳ）を発生するために、前記変圧器（１０）の前記一次巻線に接続されることを特徴とする、請求項１〜３のいずれかに記載の作動装置。
【請求項５】
前記変圧器（１０）の前記一次巻線（１１）が、第１のタッピング（１３−１５）および第２のタッピング（１４−１５）を供給する一次巻線端子（１３、１４、１５）を有し、
前記第１のタッピング（１３−１５）が、前記三相ＡＣ電源（３）に接続されるように構成され、
前記補助給電出力部（２１）が、エレベータシステムの緊急作動時に、前記第１のタッピング（１３）を介して前記駆動装置（４）へ供給される前記補助供給電圧（ＶＳ）を発生するために、前記第２のタッピング（１４〜１５）に接続されることを特徴とする、請求項４に記載の作動装置。
【請求項６】
前記三相ＡＣ電源（３）に接続するための前記端子（Ｌ１、Ｌ２、Ｌ３、Ｎ）が、各ＡＣ給電電圧を供給する第１、第２、および第３の電圧端子（Ｌ１、Ｌ２、Ｌ３）を有し、
前記駆動装置（４）が、前記第１、第２、および第３の電圧端子（Ｌ１、Ｌ２、Ｌ３）に接続され、
前記変圧器（１０）の前記一次巻線（１１）の前記第１のタッピング（１３−１５）が、前記第１および第２の電圧端子（Ｌ１、Ｌ２）に接続され、
前記変圧器（１０）の前記一次巻線（１１）の前記第２のタッピング（１４−１５）が、エレベータシステムの緊急作動時に、前記第１のタッピング（１３−１５）を介して前記駆動装置（４）に供給される前記補助供給電圧（ＶＳ）を発生するために、前記第１の電圧端子（Ｌ１）および前記補助給電出力部（２１）に接続されることを特徴とする、請求項５に記載の作動装置。
【請求項７】
前記補助給電部（２０）が、バッテリで給電されるＤＣ／ＡＣインバータ（２３）を備えることを特徴とする、請求項１〜６のいずれかに記載の作動装置。
【請求項８】
前記ＤＣ／ＡＣインバータ（２３）が、修正された又は真正の正弦波出力電圧（ＶＯＵＴ）を供給することを特徴とする、請求項７に記載の作動装置。
【請求項９】
前記補助出力電圧（ＶＯＵＴ）の大きさが選択可能であるように、前記補助給電部（２０）が設計されていることを特徴とする、請求項１〜８のいずれかに記載の作動装置。
【請求項１０】
前記エレベータシステム（１）が、エレベータかご（９）のドア（１９）を作動するドア作動装置（３０）を備え、
前記補助給電部（２０）の前記補助出力電圧（ＶＯＵＴ）を受け入れるために、前記ドア作動装置（３０）が、前記補助給電出力部（２１）に接続可能であることを特徴とする、請求項１〜９のいずれかに記載の作動装置。
【請求項１１】
前記三相ＡＣ電源（３）に接続するための前記端子（Ｌ１、Ｌ２、Ｌ３、Ｎ）が、前記三相ＡＣ電源（３）のニュートラル極に接続するためのＮ端子（Ｎ）を有し、
前記ドア作動装置（３０）が、前記エレベータシステムの正常作動時に、前記Ｎ端子（Ｎ）と、前記三相ＡＣ電源（３）の前記電圧端子（Ｌ１、Ｌ２、Ｌ３）のうちの１つと、に接続されていることを特徴とする、請求項１０に記載の作動装置。
【請求項１２】
前記ドア作動装置（３０）が、前記エレベータシステムの緊急作動時に、前記補助給電部（２０）から前記補助出力電圧（ＶＯＵＴ）を受け入れるために、前記補助給電出力部（２１）と、前記変圧器（１０）の前記一次巻線端子（１３、１４、１５）のうちの１つと、に接続されることを特徴とする、請求項１０または１１に記載の作動装置。
【請求項１３】
前記エレベータシステムの緊急作動時に、前記補助給電出力部（２１）が、前記ドア作動装置（３０）の前記Ｎ端子（Ｎ）に接続されることを特徴とする、請求項１２に記載の作動装置。
【請求項１４】
緊急作動時に、前記三相ＡＣ電源（３）を前記エレベータシステム（１）から切断するために、前記端子（Ｌ１、Ｌ２、Ｌ３、Ｎ）より下流に接続された緊急スイッチ装置（４０）を備えることを特徴とする、請求項１〜１３のいずれかに記載の作動装置。
【発明の詳細な説明】
【技術分野】
【０００１】
本発明は、ＡＣ給電電圧を供給する三相ＡＣ電源に接続するための端子と、これらの端子に接続されてエレベータシステムのモータを駆動する駆動装置と、を備えるエレベータシステム用の作動装置に関し、詳しくは、エレベータシステムの正常作動および緊急作動において作動するように設計された、エレベータシステム用作動装置の改良に関する。
【背景技術】
【０００２】
正規のビルディング電源などの電源が停電したときに、エレベータを作動するための緊急電源を備えることは公知である。緊急電力は、停電の際の緊急作動時に、エレベータシステムを運転するための補助給電を提供する補助発電機などによって供給される。特に、緊急時にエレベータを作動する適切な作動装置は、停電によって階と階との途中などに停止したエレベータを、適当な階まで移動させることを可能にしなければならない。
【０００３】
米国特許第４，４８４，６６４号明細書は、ＡＣモータによって作動されるエレベータを、給電遮断時などの緊急時に駆動することができるエレベータ用の緊急駆動装置を記載している。三相電源の給電が遮断されたとき、整流器からインバータへ供給されるＤＣ出力が失われ、緊急電源が作動可能となって、ＤＣ電力をインバータへ供給する。このインバータは、一定のＤＣ電圧を、エレベータシステムのモータを駆動するための所望の大きさおよび周波数を有するＡＣ電圧に変換するために用いられる。緊急電源は、ＤＣ／ＡＣインバータの入力端子に接続された回路を形成するダイオードに、直列に接続されている。緊急電源の直流が所定の周波数を有する交流に変換されてエレベータモータを駆動し、エレベータかごを低速で最寄りの階まで走行させる。かごが大荷重で降下する状況では、運動エネルギーはＤＣ側に還流されずに、モータのロータにおいて消費される。これを行うために、インバータの各トランジスタを制御するための特殊な制御ロジックを必要とする。
【０００４】
米国特許第５，９４５，６４４Ａ号明細書は、エレベータシステムにおいて緊急作動を制御するための装置および方法を教示している。作動中の停電によってエレベータかごが停止した場合に、乗客を安全に救助するためにエレベータかごを最寄りの階まで案内するための、補助システムが提示されている。補助システムはバッテリによって給電され、バッテリの直流電圧を交流電圧に変換するように働き、この交流電圧がエレベータシステムへ供給されて、エレベータかごに乗っている乗客を安全に救助することを可能にする。ここに記載される従来の緊急制御装置によれば、停電などの緊急事態が起こったときに、バッテリから出力される直流電圧を三相交流電圧に変換することによって、緊急給電が提供される。変換された電圧は整流器へ供給され、この整流器が、三相交流電圧を直流電圧に整流してインバータへ供給し、インバータが、受け取った直流電圧を交流電圧に変換して誘導モータへ供給する。さらに、変換された緊急給電の三相交流電圧が変圧器へ供給され、この変圧器が制御回路へ供給電圧を供給し、この制御回路が、三相電源から出力される供給電圧が供給された時と同様に、インバータを制御する。緊急給電は、三相電源と等しい全振幅(full-swing)三相交流電圧を発生することが要求される。
【発明の開示】
【発明が解決しようとする課題】
【０００５】
本発明の目的は、僅かな回路の改造を要するのみで既存の作動装置設計に組み込み可能な、エレベータシステム用作動装置を提供することである。
【課題を解決するための手段】
【０００６】
この目的は請求項１によるエレベータシステム用作動装置によって解決される。
【０００７】
本発明によるエレベータシステム用作動装置は、エレベータシステムのモータを駆動するための各ＡＣ給電電圧を受け入れるための三相ＡＣ電源に接続可能な端子と、これらの端子に接続された駆動装置と、を備える。少なくとも２つの端子に変圧器が接続され、この変圧器は、少なくとも１つの供給電圧をエレベータシステムの残りのシステムへ供給するように構成されている。作動装置は補助出力電圧を供給する出力部を有する補助給電部をさらに備え、補助給電出力部は、エレベータシステムの緊急作動時に、変圧器を介して駆動装置へ供給される補助供給電圧を発生させるための変圧器に接続可能である。したがって本発明によれば、エレベータシステムの緊急作動時に、エレベータシステムのモータを駆動するための駆動装置に変圧器から交流電圧が供給され、この変圧器は、正常時および緊急作動時にエレベータシステムに必要なすべての電圧を発生するのに用いられる既存の主変圧器である。結果的に本発明による補助システムは、作動中の停電の場合に、エレベータかごを最寄りの階まで案内して乗客を安全に救助するために適用することができる。
【０００８】
本発明の実施例によれば、補助給電部はバッテリで給電されるＤＣ／ＡＣインバータを有し、このインバータが、緊急作動時にエレベータシステムを運転するのに必要なすべての電圧を発生するために、変圧器へ給電する。ＤＣ／ＡＣインバータは駆動システムの要求に応じて、修正された又は真正の正弦波出力を有し得る。ＤＣ／ＡＣインバータの出力電圧は設備の要求に応じて、例えば１１０Ｖ〜４００Ｖの範囲で電圧の高さを選択することができる。
【０００９】
さらに本発明の実施例によれば、変圧器は二相電圧を受け入れるために三相ＡＣ電源に接続可能な端子のうち対応する２つに接続される。したがって、補助給電部は二相補助出力電圧を供給する出力部を有し、この出力部はエレベータシステムの緊急作動時に、変圧器に接続可能で、変圧器を介して駆動装置へ供給される二相補助供給電圧を発生する。
【００１０】
駆動装置に供給される補助供給電圧が、補助給電部からの補助出力電圧よりも高い電圧であることが有利である。例えば補助給電部は２３０Ｖの補助出力電圧を供給し、これが４００Ｖの補助供給電圧に昇圧されて駆動装置に供給される。
【００１１】
特に、変圧器は一次および二次巻線を有し、一次巻線は三相ＡＣ電源に接続されるよう構成され、二次巻線は少なくとも供給電圧をエレベータシステムの残りのシステムへ供給するように構成される。補助給電出力は、エレベータシステムの緊急作動時に、変圧器の一次巻線に接続され、変圧器の一次巻線を介して駆動装置へ供給される補助供給電圧を発生する。
【００１２】
補助供給電圧を昇圧させるという上述の作用を達成するために、変圧器の一次巻線が第１および第２のタッピングを有する。第１のタッピングは三相ＡＣ電源に接続するための端子に接続される。補助給電出力部は、エレベータシステムの緊急作動時に、第１のタッピングを介して駆動装置に供給される補助供給電圧を発生するために、第２のタッピングに接続される。例えば、変圧器の第２のタッピングが２３０Ｖの補助出力電圧を受け入れ、第１のタッピングが４００Ｖの補助供給電圧を駆動装置へ供給する。
【００１３】
さらに本発明の実施例によれば、エレベータシステムはエレベータかごのドアを作動するためのドア作動装置を備え、これもエレベータシステムの緊急作動時に、補助給電部から給電される。この目的のために、ドア作動装置は、補助給電出力部に接続されて、補助給電部から補助出力電圧を受け入れる。ドア作動装置は、例えば補助給電出力部から直接に供給された２３０Ｖで作動可能である一方、駆動装置には変圧器を介して４００Ｖの補助供給電圧が供給される。このように、変圧器の一次巻線は４００Ｖ用の第１のタッピングと２３０Ｖ用の第２のタッピングを有し、ドア作動装置および変圧器の第２のタッピングは補助給電部から２３０Ｖが給電され、駆動装置は変圧器の第１のタッピングを介して４００Ｖに昇圧された電圧が供給される。
【００１４】
本発明のその他の利点、特徴、態様、実施例、および詳細は、請求項から明らかである。
【００１５】
本発明は以下における本発明の実施例の説明を添付の図面と関連させることにより、良く理解され得る。
【発明を実施するための最良の形態】
【００１６】
ここで、特に図１を参照すると、エレベータシステム１に用いられる作動装置２が、端子Ｌ１、Ｌ２、Ｌ３、およびＮを備え、これらは各ＡＣ給電電圧を供給する三相ＡＣ電源３に接続されている。駆動装置４が、第１、第２、および第３の端子Ｌ１、Ｌ２、Ｌ３に接続され、したがって、主スイッチ５０と、電源３からそれぞれの入力コンダクタを経由して交流電圧を受け入れる緊急スイッチ装置４０と、を介して三相ＡＣ電源３に接続されている。これらの入力コンダクタは、この電力を、図１による駆動装置４に含まれる三相電力整流器へ伝達する。図１において、概略的に通常の変換器回路を表すブロックとして示されている駆動装置４は、三相ＡＣ入力電圧をＤＣ電圧へ整流して得られたＤＣ電圧をＤＣ／ＡＣインバータへ供給する整流器を含む。このようなインバータは、調整可能な周波数を有する出力を発生するために、直列に接続された複数対のスイッチ要素を有する。このようなインバータは、ＡＣモータ５を可変速で駆動するように作動することができる。
【００１７】
図１には、モータ５によって駆動される巻上機の綱車６に機械的に接続された三相誘導モータ５を備える一般的なエレベータシステムが示されている。牽引ケーブル７の長さの一部分が綱車６に掛けられ、一方の端部でかご９に、もう一方の端部でバランスウエイト８に接続されている。
【００１８】
図１による作動装置２は、三相ＡＣ電源３に接続されている第１、第２の端子Ｌ１、Ｌ２に接続された変圧器１０をさらに備える。変圧器１０は、供給電圧Ｖ１〜Ｖ５を、駆動装置４を制御する制御回路、速度検出器、エレベータかごに照明を与える照明システムなどのエレベータシステム１の残りへ供給する。変圧器１０は、一次巻線１１と、本発明の実施例による５つの二次巻線１２とを有し、二次巻線の各々は電圧Ｖ１〜Ｖ５から１つを供給する。一次巻線１１は第１、第２の端子Ｌ１、Ｌ２に接続され、二次巻線１２は簡略のために図１には示されていないエレベータシステムのそれぞれの下位システムに接続されている。
【００１９】
変圧器１０の一次巻線１１は、第１のタップ１３および端子１５からなる第１のタッピング１３−１５と、第２のタップ１４および端子１５からなる第２のタッピング１４−１５とを有する。例えば、第１のタッピング１３−１５は４００Ｖの交流電圧を受け入れるように設計され、第２のタッピング１４−１５は２３０Ｖの交流電圧を受け入れるように設計される。一次巻線１１の第１のタッピング１３−１５は、エレベータシステムの正常作動において、三相ＡＣ電源３から端子Ｌ１、Ｌ２を経由して各交流電圧を受け入れるために用いられる。
【００２０】
本発明によれば、変圧器１０の一次巻線１１の第２のタップ１４と、第１の端子Ｌ１と、に補助給電部２０が接続される。補助給電部２０は、変圧器１０の一次巻線１１の第２のタップ１４に供給される補助出力電圧ＶＯＵＴを供給する出力部２１を備える。特に補助給電出力部２１は、三相ＡＣ電源３が作動停止して端子Ｌ１、Ｌ２、Ｌ３、およびＮにわたって停電が起こったときのエレベータシステムの緊急作動において、第２のタップ１４に接続される。緊急作動においては、補助作動スイッチ２４が閉じてＤＣ／ＡＣインバータ２３を変圧器１０の一次巻線１１の第２のタップ１４に接続する。インバータ２３はバッテリ２２に接続されてバッテリを給電されるＤＣ／ＡＣインバータであり、緊急作動においてエレベータシステムを運転する補助給電部として働く。バッテリ２２は例えば適当なキャパシタ（いわゆるスーパーキャパシタ）または燃料電池であってもよい。
【００２１】
補助給電部２０は、図２に示されるような修正された又は真正の正弦波出力電圧ＶＯＵＴを供給するように設計されている。図２の上部によれば、ＤＣ／ＡＣインバータ２３は、修正された正弦波として、周波数５０〜６０Ｈｚの矩形波のＶＯＵＴの形で出力するように設計されている。図２の下部にある信号出力図によれば、ＤＣ／ＡＣインバータ２３は同じ周波数の真正の正弦波の出力電圧ＶＯＵＴを供給するように設計されている。ＤＣ／ＡＣインバータ２３の適当な設計は、特定のエレベータシステムの要求に従って選択される。しかも、好ましい実施例によれば、補助給電部２０は、補助出力電圧ＶＯＵＴの高さを、例えば１１０Ｖ、２３０Ｖ、４００Ｖの段階から選択できるように設計されている。図１の回路によれば、インバータ２３の補助出力電圧ＶＯＵＴは、エレベータシステムが正常に作動している間は補助作動スイッチ２４が開かれることで、バッテリ２２から電気的に絶縁されている。
【００２２】
本発明の実施例によれば、補助作動スイッチ２４の接触要素は、緊急スイッチ装置４０の補助接点である。スイッチ２４とスイッチ装置４０との機械的結合または強制的な電気的結合により、作動装置２がスイッチ装置４０によって三相ＡＣ電源から実際に切断されたときにのみ、スイッチ２４が閉じられることが保証される。さもなければ、三相供給電圧が補助給電部に供給されて補助給電部が破壊される恐れがある。
【００２３】
緊急スイッチ装置４０は、２つの異なる方法で作動され得る。すなわち手動作動モードでは、手動で作動される。自動作動モードでは、三相供給電圧が計測および監視され、三相電源の停電の際に、緊急スイッチ装置４０がリレーなどによって作動される。計測および監視のための給電、それぞれの制御回路への給電は、バッテリ２２によって電力の中断を起こすことなく提供される。
【００２４】
緊急作動においては、三相ＡＣ電源３が停電したときに、電源３の下流に接続された通常は閉じている緊急スイッチ装置４０が開くことにより、緊急作動においてエレベータシステムが電源３から切断され、かつ、通常は開いている補助作動スイッチ２４が閉じる。補助給電部２０の出力部２１が、例えば２３０Ｖの補助出力電圧ＶＯＵＴを変圧器１０の一次巻線１１の第２のタップ１４へ供給する。その結果、二相補助供給電圧ＶＳが変圧器１０の一次巻線１１のタップ１３および１５を介して供給され、駆動装置４が給電されて適当な方法でモータ５を駆動する。すなわち補助給電部２０は、第１のタッピング１３−１５を経て一次巻線１１の端子を越えて、例えば４００Ｖに昇圧された補助供給電圧ＶＳを発生させる。このように、駆動装置４に供給される補助供給電圧ＶＳの電圧は、補助給電部２０の補助出力電圧ＶＯＵＴよりも高い。
【００２５】
したがって、変圧器１０の一次巻線１１は二重の機能を果たす。すなわち正常作動においては、第１のタッピング１３−１５（４００Ｖタッピング）が端子Ｌ１およびＬ２を介して三相ＡＣ電源３の二相を受け入れ、二次巻線１２の各端子を介して、供給電圧Ｖ１〜Ｖ５までを発生するのに用いられる。緊急作動時には、第２のタップ１４（２３０Ｖタップ）が補助電力受け入れ端子として用いられて補助電力を受け入れ、一次巻線１１が駆動装置４への補助供給電圧ＶＳを供給し、これに加えて二次巻線で緊急作動時の電圧Ｖ１〜Ｖ５を発生させる。
【００２６】
図１の実施例によれば、エレベータシステム１は、ドア１９を作動させるためのドア作動装置３０をさらに備える。緊急作動においては、三相ＡＣ電源３が停電したときに、電源３の下流に接続された通常は閉じている緊急スイッチ装置４０が開くことにより、緊急作動においてエレベータシステムが電源３から切断され、かつ、通常は開いている補助作動スイッチ２４が閉じる。補助給電部２０の出力部２１が、例えば２３０Ｖの補助出力電圧ＶＯＵＴを変圧器１０の一次巻線１１の第２のタップ１４へ供給する。その結果、二相補助供給電圧ＶＳが変圧器１０の一次巻線１１のタップ１３および１５を介して供給され、駆動装置４が給電されて適当な方法でモータ５を駆動する。すなわち補助給電部２０は、第１のタッピング１３−１５を経て一次巻線１１の端子を越えて、例えば４００Ｖに昇圧された補助供給電圧ＶＳを発生させる。このように、駆動装置４に供給される補助供給電圧ＶＳの電圧は、補助給電部２０の補助出力電圧ＶＯＵＴよりも高い。
【００２７】
したがって、変圧器１０の一次巻線１１は二重の機能を果たす。すなわち正常作動においては、第１のタッピング１３−１５（４００Ｖタッピング）が端子Ｌ１およびＬ２を介して三相ＡＣ電源３の二相を受け入れ、二次巻線１２の各端子を介して、供給電圧Ｖ１〜Ｖ５までを発生するのに用いられる。緊急作動時には、第２のタップ１４（２３０Ｖタップ）が補助電力受け入れ端子として用いられて補助電力を受け入れ、一次巻線１１が駆動装置４への補助供給電圧ＶＳを供給し、これに加えて二次巻線で緊急作動時の電圧Ｖ１〜Ｖ５を発生させる。
【００２８】
図１の実施例によれば、エレベータシステム１は、エレベータかご９のドア１９を作動させるためのドア作動装置３０をさらに備える。ドア作動装置３０は、２３０Ｖの交流電圧で作動することができる。エレベータシステムの正常作動においては、三相ＡＣ電源３のニュートラル端子に接続された端子Ｎにドア作動装置３０の第１の入力Ｉ１が接続され、三相ＡＣ電源３の電圧端子に接続された端子Ｌ１〜Ｌ３のうちの１つに、ドア作動装置３０の第２の入力Ｉ２が接続される。本実施例では、ドア作動装置３０の第２の入力Ｉ２は、端子Ｌ１に接続されている。このエレベータシステムの緊急作動においては、ドア作動装置３０は、補助給電部２０から補助出力電圧ＶＯＵＴを受けるために補助給電出力部２１に接続され、変圧器１０の一次巻線１１の端子１５がドア作動装置３０の第２の入力Ｉ２に接続されている。特に緊急作動においては、補助給電出力部２１がドア作動装置３０の第１の入力Ｉ１に接続され、変圧器１０の一次巻線１１の端子１５がドア作動装置３０の第２の入力Ｉ２に接続される。このようにドア作動装置３０はＤＣ／ＡＣインバータ２３から、例えば２３０Ｖの補助出力電圧ＶＯＵＴが供給される一方で、駆動装置４は、例えば４００Ｖに変圧器１０を介して昇圧された補助電圧ＶＳが供給される。ドア作動装置３０が、ドア１９を作動するために制御信号３１を出力し、ドア１９の開閉動作を制御する。
【００２９】
本発明の上記の発明は、停電の際にエレベータに乗っている乗客を安全に救助する際などに、荷重が釣り合っている状態を含めて、自動または手動での緊急作動に用いることができる。記述した解決法は、回路設計に僅かな改造を加えるだけで既存のエレベータシステムに組み込むことができる。
【図面の簡単な説明】
【００３０】
【図１】本発明によるエレベータシステム用作動装置の実施例における回路図。
【図２】バッテリ給電ＤＣ／ＡＣインバータを有する補助給電部の実施例における信号出力図。
【図１】
2008526653.tif 000003
【図２】
2008526653.tif 000004
【国際調査報告】
2008526653.tif 000005
2008526653.tif 000006
2008526653.tif 000007